(57)【特許請求の範囲】
【請求項１】
膨張式拘束システムの空気注入装置用の端部ディフューザであって、
前記空気注入装置のガスを供給する部分から膨張ガスを最初に受け入れるためのディフューザチャンバを画定するディフューザ壁であって、
前記ディフューザ壁が、前記ディフューザチャンバから膨張ガスを排出するための周方向推力中立ガス排出アレイ内に配置された複数の膨張ガス排出開口部を有する円筒形部分を含み、
前記ディフューザ壁が、前記ディフューザに閉鎖端を形成する端壁部分を含み、
前記端壁部分が、前記ディフューザチャンバ内において流れる方向が変化する膨張ガス流を創出して、前記空気注入装置を選択的に推力ベクトル調整するために、前記端壁部分から前記ディフューザチャンバの中に延在している、前記膨張ガス排出開口部を通って排出された膨張ガスが軸方向推力中立様式で排出されるように選択された形状及び寸法の円筒形突出部を含む、ディフューザ壁、を備え、
前記円筒形突出部の直径は、前記円筒形部分の直径の約５０％であり、かつ前記円筒形突出部の長さは、前記円筒形部分の長さの約５０％であり、前記空気注入装置のガスを供給する部分との間に単一の流れ制御オリフィスが配置されている、端部ディフューザ。
【請求項２】
前記端壁部分が、連続的に形成され、かつ前記円筒形部分から延在して、前記円筒形突出部が、前記ディフューザ壁の一部分として連続的に形成され、前記端壁部分に凹部を備える、請求項１に記載の端部ディフューザ。
【請求項３】
前記円筒形突出部が、前記ディフューザ壁の一部分として連続的に形成され、前記端壁部分に凹部を備える、請求項１に記載の端部ディフューザ。
【請求項４】
前記円筒形突出部が、前記端壁部分に凹部を備える、請求項１に記載の端部ディフューザ。
【請求項５】
前記円筒形突出部が、環状リングを備える、請求項１に記載の端部ディフューザ。
【請求項６】
膨張式拘束システムのための空気注入装置であって、
膨張ガスを供給する空気注入ハウジングと、請求項１に記載の端部ディフューザと、を備える、空気注入装置。
【請求項７】
膨張式拘束システムのための空気注入装置であって、
膨張ガスを供給する空気注入ハウジングと、
前記空気注入ハウジングの第１の端部に配置された端部ディフューザと、
前記空気注入ハウジングと前記端部ディフューザとの間に配置された単一の流れ制御オリフィスと、を備え、
前記端部ディフューザは、
前記空気注入ハウジングから膨張ガスを最初に受け入れるためのディフューザチャンバを画定するディフューザ壁であって、
前記ディフューザ壁が、前記ディフューザチャンバから膨張ガスを排出するための周方向推力中立ガス排出アレイ内に配置された複数の膨張ガス排出開口部を有する円筒形部分を含み、
前記ディフューザ壁が、連続的に形成され、かつ前記円筒形部分から延在し、前記ディフューザに閉鎖端を形成する、端壁部分を含み、
前記端壁部分が、前記端壁部分から前記ディフューザチャンバの中に延在している円筒形突出部を含むことで、前記ディフューザチャンバ内において流れる方向が変化する膨張ガス流を創出して、それにより、前記膨張ガス排出開口部を通って排出された膨張ガスが軸方向推力中立様式で排出される、ディフューザ壁、を備え、
前記円筒形突出部の直径は、前記円筒形部分の直径の約５０％であり、かつ前記円筒形突出部の長さは、前記円筒形部分の長さの約５０％である、空気注入装置。
【請求項８】
前記円筒形突出部が、前記ディフューザ壁の一部分として連続的に形成されている、請求項７に記載の空気注入装置。
【請求項９】
前記円筒形突出部が、環状リングを備える、請求項７に記載の空気注入装置。
【請求項１０】
空気注入装置の端部ディフューザからの膨張ガス推力の大きさ及び方向のうちの少なくとも一方を調整するための方法であって、
膨張ガスを供給する前記空気注入装置の空気注入ハウジングと前記端部ディフューザとの間に単一の流れ制御オリフィスが配置され、
前記ディフューザが、前記空気注入ハウジングから膨張ガスを最初に受け入れるためのディフューザチャンバを画定するディフューザ壁を含み、前記ディフューザ壁が、前記ディフューザチャンバから膨張ガスを排出するための周方向推力中立ガス排出アレイ内に配置された複数の膨張ガス排出開口部を有する円筒形部分を含み、前記ディフューザ壁が、前記ディフューザに閉鎖端を形成する端壁部分を含み、前記方法は、
前記ディフューザチャンバ内において流れる方向が変化する膨張ガス流を創出するために、前記ディフューザ壁の前記端壁部分から前記ディフューザチャンバの中に延在している、前記膨張ガス排出開口部を通って排出された膨張ガスが軸方向推力中立様式で排出されるように選択された形状及び寸法の円筒形突出部を組み込むことと、
前記空気注入装置から出力された前記膨張ガスを選択的に推力ベクトル調整するために、前記円筒形突出部の直径は前記円筒形部分の直径の約５０％に、かつ前記円筒形突出部の長さは前記円筒形部分の長さの約５０％に選択することと、を含む、方法。
【発明の詳細な説明】
【背景技術】
【０００１】
本発明は、概して、車両の搭乗者安全拘束システムに使用されるような空気注入装置に関し、より具体的には、空気注入装置を適切に推力ベクトル調整するのに有用な機能及び方法に関する。
関連技術の考察
【０００２】
運転者による介入を必要とせずに、非展開状態又は静止状態から展開状態へと自己作動する安全拘束システムによって、又はそれを用いて、車両の乗員を保護することはよく知られている。したがって、「受動的拘束システム」に、又はそれに関連する必要性及び改善性がある。このようなシステムは、一般に「エアバッグクッション」と呼ばれるクッション又はバッグの形態などの膨張式車両の乗員拘束又は要素を一般に収容するか、又はそれを含む。実際には、このようなエアバッグクッションは、典型的には、車両が衝突の場合などの突然の減速に遭遇するときに、ガスと共に膨張又は拡張させるように設計されている。このようなエアバッグクッション（単数又は複数）は、乗員が、車両内部のこのような部分を強制的に打撃することを防止又は回避するために、乗員と、ドア、ハンドル、ダッシュボードなどの車両内部の特定の部分との間の車両内の１つ以上の位置に展開することが望ましい場合がある。
【０００３】
膨張式安全拘束設備は、典型的には、衝突の場合に膨張式エアバッグを膨張させるために、膨張ガスを供給又は生成する空気注入装置を採用する。膨張式拘束システムのエアバッグクッションを膨張させるために、多くの種類の空気注入装置が当該技術分野において開示されている。このような空気注入装置の１つのカテゴリは、多くの場合、「圧縮ガス注入装置」と呼ばれ、広く一般に、圧縮ガスを収容する様々な空気注入装置を指す。
【０００４】
既知のように、「貯蔵ガス注入装置」と呼ばれることもある、１つの特定の種類の圧縮ガス注入装置は、単に、関連付けられたエアバッグクッションを膨張させるために選択的に放出される一定量の貯蔵された圧縮ガスを収容する。
【０００５】
別の既知の種類の圧縮ガス注入装置は、一般に「ハイブリッド」空気注入装置と呼ばれる。このような空気注入装置では、膨張ガスは、貯蔵された圧縮ガスとガス発生材料、例えば火工品の燃焼との組み合わせから生じる。
【０００６】
特に、サイド及びカーテンの膨張式安全拘束システムでの使用又は用途のための圧縮ガスエアバッグの空気注入器のような、車両における空気注入装置の使用の増加及び組み込みの観点から、既存の空気注入器と比較して同等の性能出力を備えた、より小型で、かつより軽量であるエアバッグの空気注入器に対する必要性及び要望がある。空気注入装置内の貯蔵ガスの貯蔵圧力を増加させることは、この必要性を満たす効果的な技術であり得る。これにより、より小型で、かつより軽量であるが、１０，０００ｐｓｉ以上の圧力で充填された、又はそれを用いて充填された空気注入装置など、１０％、２０％、２５％、又はそれ以上で増量するガス貯蔵圧力を有する装置を介して、同等の出力性能を提供する新世代のサイド及びカーテンの空気注入装置が開発された。
【０００７】
しかしながら、空気注入装置からの膨張ガスの放出は、相当な量の反応性推力を課し、通常は空気注入装置及び関連するアセンブリを、そのアセンブリが採用される車両内に確実に拘束することを必要とする。空気注入器を車両に固定する拘束は、推力を吸収する。
【０００８】
空気注入装置の作動時に結果として生じる推力はかなりのものとなる可能性があり、また、適切に拘束されていないか、又は推力を中立にしていない場合、空気注入装置を危険な発射体にする可能性がある。典型的には、輸送及び取り扱いの間の、車両内にアセンブリを設置する前に、反応性推力の影響に対する物理的拘束は存在しない。その結果、空気注入装置が中立推力でない限り、空気注入器からの膨張ガスの意図しない排出は、重大な安全上の懸念を提起する可能性がある。したがって、輸送中、取り扱い中、又は設置中に拘束されていない空気注入器が意図せずに発火した場合、危険な状況が発生する可能性がある。
【０００９】
この必要性に対処するために、空気注入装置、例えば、膨張ガスを供給する空気注入ハウジング内に、又はそれと共に、ディフューザ要素又は装置を含むか、又は組み込むことが知られており、そのディフューザは、実質的に周方向推力中立様式で、膨張ガスを放出する周方向直径方向に対向する穴を特徴とする。
【００１０】
例えば、参照番号１０によって全体的に指定された、現在の設計サイド及びカーテンの圧縮ガス注入装置を示す図１を参照されたい。空気注入装置１０は、軸端１６に配置された端部ディフューザ１４を備えた膨張ガスを提供する空気注入ハウジング１２を含む、概ね細長い軸方向に延在する形態を有する。
【００１１】
ディフューザ１４は、ディフューザチャンバ２２を画定するディフューザ壁２０を含む。ディフューザ１４、空気注入ハウジング１２、又はその両方の一部として、空気注入装置１０は、空気注入ハウジング１２からディフューザ１４の中に、特に、それによって形成されたディフューザキャビティ又はチャンバ２２の中に、膨張ガスを通過させるための流れ制御オリフィス２４を含む。
【００１２】
ディフューザ壁２０は、ディフューザチャンバ２２から膨張ガスを排出するための周方向推力中立ガス排出アレイ内に配置された複数の膨張ガス排出開口部又は孔２８を有する円筒形部分２６を含む。ディフューザ壁２０はまた、ディフューザ１４に閉鎖端３２を形成する端壁部分３０を含む。
【００１３】
しかしながら、図２に示すように、このような空気注入装置は、周方向様式で推力中立性に効果的に対処することができるが、ガスが、内部ディフューザキャビティ又はチャンバ２２の中に、流れ制御オリフィス２４を通って、かつ矢印４２が、ページの平面内でディフューザを出る一般的なガス流を表している、直径方向に対向する孔２８を通って放出されるときに示される軸方向推力（矢印４０で表示されている）が依然として存在する。図２に示される軸方向推力の矢印は、負の方向に向いた軸方向推力（例えば、ページの平面上の左に向かう軸方向推力）を表す。反対方向、すなわち正の方向に向いた軸方向推力を備えた空気注入装置も可能である。
【００１４】
当業者によって理解され、かつ提供されている本明細書の教示によって導かれるように、このような軸方向推力の存在又は発生は、開発されているような、より高いガス貯蔵圧力空気注入装置でより顕著にかつ重要になり得る。
【００１５】
したがって、空気注入装置からの膨張ガス排出の推力ベクトル調整を追加的に促進、許可、又は提供する、そして特定の場合には、空気注入装置からの膨張ガス排出の推力ベクトル調整を促進、許可、又は提供する方法、装置、及び／又は機能に対する必要性がある。
【００１６】
軸方向推力を本質的に相殺し、それによって推力のない空気注入装置をもたらすか、さもなければ提供するために使用することができるような方法、装置及び／又は機能に対する必要性もある。
【発明の概要】
【００１７】
開発の一態様又は実施形態によれば、空気注入装置の推力の大きさ及び方向の調整を提供する、新規かつ革新的な機能形状が提供される。一実施例では、好適なこのような革新的な機能形状は、内部ディフューザキャビティ内のガス流を変化させる環状リングを効果的に創出する内部円筒形突出部を備える。ディフューザ内部の流れが変化すると、ディフューザから出る際にガスによって創出される合成推力もそれに応じて変化する。内部円筒形突出部の直径及び／又は長さなどの特徴は、内部ディフューザキャビティ形状内のガス流パターンを適切に変化させるように適合することができる。これにより、合成推力ベクトルの大きさ及び方向が変化する。
【００１８】
一態様又は実施形態によれば、膨張式拘束システムの空気注入装置用の端部ディフューザが提供されている。端部ディフューザは、空気注入装置のガスを供給する部分から膨張ガスを最初に受け入れるためのディフューザチャンバを画定するディフューザ壁を含む。ディフューザ壁は、ディフューザチャンバから膨張ガスを排出するための周方向推力中立ガス排出アレイ内に配置された複数の膨張ガス排出開口部を有する円筒形部分を含む。ディフューザ壁はまた、ディフューザに閉鎖端を形成する端壁部分も含む。端壁部分は、そこからディフューザチャンバの中に延在している突出部を含み、ディフューザチャンバ内の環状リングを変化させる膨張ガス流を創出して、空気注入装置を選択的に推力ベクトル調整する。
【００１９】
別の態様又は実施形態によれば、膨張式拘束システムのための空気注入装置が提供されている。空気注入装置は、膨張ガスを供給する空気注入ハウジングと、この空気注入ハウジングの第１の端部に配置された端部ディフューザとを含む。端部ディフューザは、空気注入装置から膨張ガスを最初に受け入れるためのディフューザチャンバを画定するディフューザ壁を含む。ディフューザ壁は、ディフューザチャンバから膨張ガスを排出するための周方向推力中立ガス排出アレイ内に配置された複数の膨張ガス排出開口部を有する円筒形部分を含む。ディフューザ壁はまた、連続的に形成され、かつ円筒形部分から延在し、ディフューザに閉鎖端を形成している端壁部分も含む。端壁部分は、そこからディフューザチャンバの中に延在している円筒形突出部を含み、ディフューザチャンバ内の環状リングを変化させる膨張ガス流を創出して、それにより、膨張ガス排出開口部を通って排出された膨張ガスは、軸方向推力中立様式で排出される。
【００２０】
更に別の態様又は実施形態によれば、空気注入装置の端部ディフューザから出る膨張ガス推力の大きさ及び方向のうちの少なくとも一方に影響を及ぼすための方法が提供されている。ディフューザは、空気注入装置から膨張ガスを最初に受け入れるためのディフューザチャンバを画定するディフューザ壁を含む。ディフューザ壁は、ディフューザチャンバから膨張ガスを排出するための周方向推力中立ガス排出アレイ内に配置された複数の膨張ガス排出開口部を有する円筒形部分を含む。ディフューザ壁はまた、ディフューザに閉鎖端を形成する端壁部分も含む。この方法は、ディフューザ壁の端壁部分からディフューザチャンバの中に延在している突出部を組み込んで、ディフューザチャンバ内の環状リングを変化させる膨張ガス流を創出し、空気注入装置から出力された膨張ガスを選択的に推力ベクトル調整するために、ディフューザチャンバの中に延在している突出部の深さ及び幅のうちの少なくとも一方を選択的に変化させることを含む、又は必要とする。
【００２１】
他の目的及び利点は、添付の特許請求の範囲及び図面と併せて、以下の詳細な説明から、当業者に明らかとなろう。
【図面の簡単な説明】
【００２２】
【図１】現在の設計サイド及びカーテンの圧縮ガス注入装置の部分的に断面の簡略側面図である。
【００２３】
【図２】図１に示す圧縮ガス注入装置のディフューザ先端部分及びそこからのガス流排出を示す断片的な断面図である。
【００２４】
【図３】展開の一態様による、空気注入装置の部分的に断面の簡略側面図である。
【００２５】
【図４】図３に示す圧縮ガス注入装置のディフューザ先端部分及びそこからのガス流排出を示す断片的な断面図である。
【００２６】
【図５】代替的な実施形態による、空気注入装置の部分的に断面の簡略側面図である。
【発明を実施するための形態】
【００２７】
本主題の開発は、周方向推力中立性に加えて、空気注入装置からの膨張ガス排出の推力ベクトル調整を追加的に促進、許可、又は提供する、そして特定の場合には、周方向推力中立性に加えて、軸方向推力中立様式での膨張ガス排出を提供するように、空気注入装置からの膨張ガス排出の推力ベクトル調整を促進、許可、又は提供する方法、装置、及び／又は機能を提供する。
【００２８】
更に、本主題の開発は、主題の空気注入器を提供又は供与することに焦点を絞った、或いはそれに向けた実施形態への具体的な言及をしながら、以下で更に論じられ、かつ説明されることがあり、その結果、本明細書で提供される教示によって導かれる、当業者による膨張ガス排出が軸方向推力中立様式であるように、本主題の開発のより広範な実施は、必ずしもそのように限定されるものではないことを理解し、かつ認識するであろうが、例えば、本主題の開発は、所望であれば、内部突出部の属性を操作することなどによって、推力の特定かつ所望の大きさ及び方向（例えば、正又は負）が達成されるように、ディフューザを出るガスによって創出される合成軸方向推力ベクトルを有する、又は提供する空気注入装置を形成、生成、又はもたらすように好適に実施或いは適用され得る。
【００２９】
そのような用途が特に関心が深いので、サイド及びカーテンの圧縮ガス注入装置を特に参照しながら以下に本開発について論じられ、かつ説明されているが、当業者であれば本明細書の教示により導かれて、本開発のより広範な実施は、他の種類の空気注入装置への組み込み及び使用もまた本明細書に包含されるので、必ずしもそのように限定されないことを理解し、かつ認識するであろう。
【００３０】
図３は、開発の一態様による、広く一般に参照番号３１０によって指定される、サイド及びカーテンの圧縮ガス空気注入装置の部分的に断面の簡略側面図である。上述の空気注入装置１０と同様に、空気注入装置３１０は、膨張ガスを供給する空気注入ハウジング３１２を含み、かつ軸端３１６に配置された端部ディフューザ３１４を有する、概ね細長い軸方向に延在する形態を有する。
【００３１】
端部ディフューザ３１４は、ディフューザチャンバ３２２を画定するディフューザ壁３２０を含む。ディフューザ３１４、空気注入ハウジング３１２、又はその両方の一部として、空気注入装置３１０は、空気注入ハウジング３１２からディフューザ３１４の中に、特に、それによって形成されたディフューザキャビティ又はチャンバ３２２の中に、膨張ガスを通過させるための流れ制御オリフィス３２４を含む。
【００３２】
ディフューザ壁３２０は、ディフューザチャンバ３２２から膨張ガスを排出するための周方向推力中立ガス排出アレイ内に配置された複数の膨張ガス排出開口部又は孔３２８を有する円筒形部分３２６を含む。ディフューザ壁３２０はまた、ディフューザ３１４に閉鎖端３３２を形成する端壁部分３３０を含む。
【００３３】
空気注入装置３１０は、ディフューザ端壁部分３３０が、そこからディフューザチャンバ３３２の中へと延在する突出部３３４も含むという点で、上述の空気注入装置１０とは主に異なる。おそらく図４を参照することによって最もよく理解されるように、このような突出部３３４の包含は、ディフューザチャンバ３３２内の環状リング３４１を変化させる膨張ガス流を創出するように働き、それにより、膨張ガス排出開口部３２８を通って排出された膨張ガスは、軸方向推力中立様式で排出される。図４では、矢印３４２は、ページの平面内のディフューザ３１４を出る全体的なガス流を表す。このような矢印は、ディフューザ３１４及び空気注入装置３１０の細長い軸に対して実質的に垂直であるため、そのような排出は軸方向に推力中立である。
【００３４】
本明細書で提供される教示によって導かれる当業者であれば、突出部のサイズ、例えば、参照番号３４４によって表されるような、突出部３３４がディフューザチャンバ３３２の中に延在する深さ、及び参照番号３４６によって表されるような、突出部３３４の幅のいずれか又は両方などを選択的に変化させることによって、空気注入装置から出力される膨張ガスの推力ベクトルを適切に選択的に変化させることができると理解するであろう。
【００３５】
本主題の開発は、突出部がディフューザチャンバの中に延在するような実質的な円筒形の形態を有する一実施形態を特に参照しながら上述したが、本発明のより広範な実施は、必ずしもそのように限定されるものではない。例えば、ここで図５を参照すると、代替的な実施形態による、全体的に参照番号５１０で指定される、サイド及びカーテンの圧縮ガス注入装置が示されている。
【００３６】
空気注入装置５１０は、上述の空気注入装置３１０とほぼ同様であり、膨張ガスを供給する空気注入ハウジング５１２を含み、軸端５１６に配置された端部ディフューザ５１４を有する概ね細長い軸方向に延在する形態を有する。端部ディフューザ５１４は、ディフューザチャンバ５２２を画定するディフューザ壁５２０を含む。ディフューザ５１４、空気注入ハウジング５１２、又はその両方の一部として、空気注入装置５１０は、空気注入ハウジング５１２からディフューザ５１４の中に、特に、それによって形成されたディフューザキャビティ又はチャンバ５２２の中に、膨張ガスを通過させるための流れ制御オリフィス５２４を含む。ディフューザ壁５２０は、ディフューザチャンバ５２２から膨張ガスを排出するための周方向推力中立ガス排出アレイ内に配置された複数の膨張ガス排出開口部又は孔５２８を有する円筒形部分５２６を含む。ディフューザ壁５２０はまた、ディフューザ５１４に閉鎖端５３２を形成する端壁部分５３０を含む。空気注入装置５１０も同様に、ディフューザ端壁部分５３０からディフューザチャンバ５２２の中に延在している突出部５３４を含むが、突出部５３４が環状リングとして形成されているという点で異なる。所望であれば、このような環状リング突起は、アセンブリに追加される別個の構成要素として形成され得る。
【００３７】
上記に示したように、本開発の一態様又は実施形態によれば、空気注入装置の推力の大きさ及び方向の所望の調整を提供する好適な機能形状の一例は、内部ディフューザキャビティ内のガス流を変化させる環状リングを効果的に創出する内部円筒形突出部を含む。ディフューザ内部の流れが変化すると、ディフューザから出る際にガスによって創出される合成推力もそれに応じて変化する。内部円筒形突出部の直径及び／又は長さなどの特徴は、内部ディフューザキャビティ形状内のガス流パターンを適切に変化させるように適合することができる。これにより、合成推力ベクトルの大きさ及び方向が変化する。
【００３８】
以下の特定の実施例は、本主題の開発の実施及び用途において、当業者を更に支援し、かつ導くために論じられ、かつ説明されている。しかしながら、本主題の開発のより広範な実施は、必ずしもこれらの実施例によって限定される、又は制限されないことが理解されるべきである。
【００３９】
実施例１−内部円筒形突出部の直径が、複数のガス拡散出口孔を有するディフューザの円筒形部分の直径の約５０％であるとき、かつ内部円筒形突出部の長さが、複数のガス拡散出口孔を有するディフューザの円筒形部分の長さの約５０％であるとき、１つの好ましい実施形態によれば、軸方向推力を本質的にゼロにすることができる。
【００４０】
実施例２−内部円筒形突出部の直径が、複数のガス拡散出口孔を有するディフューザの円筒形部分の直径の約５０％であるとき、かつ内部突出部の長さが、複数のガス拡散出口孔を有するディフューザの円筒形部分の長さの約２５％であるとき、ディフューザ内部のガス流は変化し、ガスが複数の孔を出るときに創出される空気注入装置の合成軸方向推力は、したがって、空気注入装置のわずかな大きさの軸方向推力が、正味の負の方向（例えば、反対方向）に存在するように、調整される、又は調節される。
【００４１】
実施例３−内部円筒形突出部の直径が、複数のガス拡散出口孔を有するディフューザの円筒形部分の直径の約２５％であるとき、かつ内部円筒形突出部の長さが、複数のガス拡散出口孔を有するディフューザの円筒形部分の長さの約５０％であるとき、ディフューザ内部のガス流は変化し、ガスが複数の孔を出るときに創出される空気注入装置の合成軸方向推力は、したがって、空気注入装置のわずかな大きさの軸方向推力が、正味の負の方向（例えば、反対方向）に存在するように、調整される。したがって、少なくとも１つの実施形態によれば、特徴のサイズを縮小することによって、正味の負の方向の合成推力を微調整するために、円筒形突出部の直径及び長さのうちのいずれか又は両方を、独立して、又は互いに連動して操作することができる。
【００４２】
実施例４−内部円筒形突出部の直径が、複数のガス拡散出口孔を有するディフューザの円筒形部分の直径の約５０％であるとき、かつ内部突出部の長さが、複数のガス拡散出口孔を有するディフューザの円筒形部分の長さの約７５％であるとき、ディフューザ内部のガス流は変化し、ガスが複数の孔を出るときに創出される空気注入装置の合成軸方向推力は、したがって、空気注入装置のわずかな大きさの軸方向推力が、正味の正の方向に存在するように、調整される。
【００４３】
実施例５−内部円筒形突出部の直径が、複数のガス拡散出口孔を有するディフューザの円筒形部分の直径の約７５％であるとき、かつ内部円筒形突出部の長さが、複数のガス拡散出口孔を有するディフューザの円筒形部分の長さの約５０％であるとき、ディフューザ内部のガス流は変化し、ガスが複数の孔を出るときに創出される空気注入装置の合成軸方向推力は、したがって、空気注入装置のわずかな大きさの軸方向推力が、正味の正の方向に存在するように、調整される。
【００４４】
したがって、特定の実施形態によれば、特徴のサイズを増大させることによって、正味の正の方向の合成推力を適切に微調整するために、円筒形突出部の直径及び長さのいずれか、又は両方を、所望のように、独立して、又は互いに連動して操作することができる。
【００４５】
実施例６−内部円筒形突出部の直径が、複数のガス拡散出口孔を有するディフューザの円筒形部分の直径の約２５％であるとき、かつ内部突出部の長さが、複数のガス拡散出口孔を有するディフューザの円筒形部分の長さの約２５％であるとき、ディフューザ内部のガス流は変化し、ガスが複数の穴を出るときに創出される軸方向推力は、したがって、大きな正味の負の方向に空気注入装置の軸方向推力を引き起こして調整される。したがって、内部突出部機能の両方の属性のサイズを減少させることによって、総計の／より大きな大きさの合成推力を正味の負の方向に調節する、又は調整するために、円筒形突出部の直径及び長さの両方を一緒に操作することができる。
【００４６】
実施例７−内部円筒形突出部の直径が、複数のガス拡散出口孔を有するディフューザの円筒形部分の直径の約７５％であるとき、かつ内部突出部の長さが、複数のガス拡散出口孔を有するディフューザの円筒形部分の長さの約７５％であるとき、ディフューザ内部のガス流は変化し、ガスが複数の穴を出るときに創出される軸方向推力は、したがって、大きな正味の正の方向に空気注入装置の軸方向推力を引き起こして調整される。したがって、例えば、一実施形態によれば、内部突出部機能の両方の属性のサイズを増大させることによって、空気注入装置の総計の／より大きな大きさの合成推力を正味の正の方向に調整するために、円筒形突出部の直径及び長さの両方を一緒に操作することができる。
【００４７】
本発明は、本発明の実施に関係する様々な態様を例示するか、又はシミュレーションする以下の実施例と関連して、より詳細に説明される。本発明の趣旨内にある全ての変化が保護されることが所望され、このため、本発明がこれらの実施例によって制限されるものとして解釈されるべきではないことを理解されたい。
【実施例】
【００４８】
上記に示したように、本主題の開発の好ましい実施によれば、空気注入装置から出力された膨張ガスの推力ベクトルは、突出部のサイズを選択的に変化させることなど、例えば、参照番号３４４によって表されるような、突出部３３４がディフューザチャンバ３３２の中に延在する深さ、及び参照番号３４６によって表されるような、突出部３３４の幅のいずれか又は両方を変化させることなどによって、適切に選択的に変化させることができる。
【００４９】
上述の空気注入装置３１０と構造が類似している試験空気注入装置が準備され、唯一の構造上の違いが、それぞれの突出部の深さ（例えば、測定値３４４）及び軸方向推力であると判定された。
【００５０】
結果を以下の表１に示す。
【表１】
0006878588.tif 000002
【００５１】
結果の考察
表１の結果によって示されるように、例えば、突起がディフューザチャンバの中に延在している深さを変化させることなどによって、突出部のサイズを変化させることは、より詳細に上述したように、対応する空気注入装置の推力ベクトルを選択的に調整することができる有効な技術である。
【００５２】
したがって、本開発は、周方向推力中立性に加えて、空気注入装置からの膨張ガス排出の推力ベクトル調整を追加的に促進、許可、又は提供する、そして特定の場合には、周方向推力中立性に加えて、軸方向推力中立様式での膨張ガス排出を提供するように、空気注入装置からの膨張ガス排出の推力ベクトル調整を促進、許可、又は提供する方法、装置、及び／又は機能を提供する。
【００５３】
特許請求の範囲は、ミーンズプラス又はステッププラスファンクションの制限を含むことを意図されず、そのような制限が、それぞれ、「ための手段」又は「ためのステップ」という句（複数可）を使用して所与の特許請求の範囲において明示的に記載されない限り、それらを含むように解釈されるべきではない。
【００５４】
本明細書で例示的に開示される本発明は、本明細書において具体的に開示されていない要素、部品、工程、構成要素、又は成分の存在下で好適に実施され得る。
【００５５】
前述の詳細な説明において、本発明が、本発明のある特定の好ましい実施形態に関して説明され、多くの詳細が、例示の目的で述べられたが、本発明が追加の実施形態に影響され得、かつ本明細書に記載される詳細のいくつかが、本発明の基本原理から逸脱することなく、著しく変動させられ得ることが、当業者に明らかとなろう。
【図１】
0006878588.tif 000003
【図２】
0006878588.tif 000004
【図３】
0006878588.tif 000005
【図４】
0006878588.tif 000006
【図５】
0006878588.tif 000007